(57)【要約】【課題】コストの低廉化及び作業の容易化を図りつつ、パチンコ球などが筐体内の紙幣識別機配置スペースに入り込むのを防止して故障の発生を未然に防止し得る遊技媒体貸出装置を提供する。【解決手段】遊技媒体貸出装置Ａは、遊技機に隣接して配置されるもので、筐体の正面に設けた紙幣挿入口から挿入された紙幣の真偽を識別する紙幣識別機を筐体３内に装備する第１の使用形態と紙幣識別機を装備しない第２の使用形態とに選択的に使用される。第２の使用形態で筐体内の紙幣識別機配置スペースを筐体の側方より塞ぐカバー部材３０を備える。このカバー部材に、筐体の内側から紙幣挿入口を塞ぐ紙幣挿入口閉鎖部を一体に形成する。【選択図】      図５
2004358115.tif 000002
【特許請求の範囲】
【請求項１】
遊技機に隣接して配置されるもので、筐体の正面に設けた紙幣挿入口から挿入された紙幣の真偽を識別する紙幣識別機を筐体内に装備する第１の使用形態と紙幣識別機を装備しない第２の使用形態とに選択的に使用される遊技媒体貸出装置において、
上記第２の使用形態で筐体内の紙幣識別機配置スペースを筐体の側方より塞ぐカバー部材を備え、このカバー部材には、筐体の内側から上記紙幣挿入口を塞ぐ紙幣挿入口閉鎖部が一体に形成されていることを特徴とする遊技媒体貸出装置。
【請求項２】
上記紙幣識別機は、紙幣の真偽を識別した後真正な紙幣を筐体の背面に設けた開口部を通して紙幣搬送装置へ送出するものであり、上記カバー部材は、後面で上記開口部を塞ぐように筐体内の紙幣識別機配置スペースの略全部を占める大きさに形成されている請求項１記載の遊技媒体貸出装置。
【請求項３】
上記筐体には紙幣識別機をねじ止めするための複数のボス部が内側に突出して設けられており、上記カバー部材は、このボス部にねじ止めするねじ止め部を有している請求項１又は２記載の遊技媒体貸出装置。
【請求項４】
上記カバー部材にはカバー部材の取付時に上記筐体のボス部との干渉を回避するための切り欠き部が形成され、この切り欠き部の前端側は、切り欠き底側から切り欠き口側に向かって切り欠き幅が拡がるように斜めに切り欠いてなる請求項３記載の遊技媒体貸出装置。
【発明の詳細な説明】
【０００１】
本発明は、遊技場においてパチンコ機やスロットマシンなどの各遊技機に隣接して設置される遊技媒体貸出装置に関し、特に、紙幣識別機を装備する使用形態と装備しない使用形態とに選択的に使用されるものに係わる。
【０００２】
【従来の技術】
一般に、パチンコホールなどの遊技場においては、パチンコ機やスロットマシンなどの各遊技機の側方に、パチンコ球やメダルなどの遊技媒体を貸し出す遊技媒体貸出装置が設置されている。この種の遊技媒体貸出装置としては、例えば特許文献１に開示されるように、筐体内に紙幣識別機、硬貨選別機及び制御ボックスなどを装備するとともに、筐体の正面に紙幣挿入口及び硬貨投入口などを設けたものが知られている。
【０００３】
【特許文献１】
特開２００２−２８２５２０号公報（全頁、全図）
【０００４】
【発明が解決しようとする課題】
ところで、上記遊技媒体貸出装置の使用形態としては、紙幣識別機などの部品を全て装備して使用する場合の外に、遊技場の経営者などの要望に応じて、紙幣識別機を装備しない、つまり硬貨のみを使用可能にする場合もある。このような使用形態の場合、従来、遊技者が誤って紙幣挿入口から紙幣を挿入するのを未然に防止するために、筐体の正面を構成するパネルの紙幣挿入口を設けた部分を、紙幣挿入口のないものと交換している。
【０００５】
しかし、遊技媒体貸出装置で紙幣識別機を装備する場合、通常、筐体の背面に開口部を設け、この開口部を通して紙幣識別機から紙幣を島側に配置した紙幣搬送装置へ送出するようになっている。また、紙幣識別機の内部や周辺で紙幣詰まりが生じたときの対策を容易にするために、筐体の側面に紙幣識別機に対応して開口部を設けることもある。このような遊技媒体貸出装置で紙幣識別機を装備せずに使用した場合には、島側に配置した遊技媒体補給装置などから飛び散ったパチンコ球などが上記背面側の開口部又は側面側の開口部を通して筐体内の紙幣識別機配置スペースに入り込み、更にそのスペースからハーネス配線用の開口部などを通して筐体内の他の個所にまで入り込んで故障の原因になるという問題がある。
【０００６】
そこで、このような問題を解決するために、紙幣識別機を装備せずに使用する場合、正面パネルを紙幣挿入口のないものと交換するとともに、紙幣識別機に対応して設けられた筐体側面の開口部及び筐体背面の開口部をそれぞれ塞ぐカバー部材を設けることが考えられる。しかし、この場合、部品点数が多くなり、その分コスト的に高くなるとともに、交換や取付などの作業に手間がかかるという欠点がある。
【０００７】
本発明はかかる諸点に鑑みてなされたものであり、その課題とするところは、上述の如く紙幣識別機を装備せずに使用する場合、１つの部品でもって筐体の正面側の紙幣挿入口と筐体側面の開口部などとを共に塞ぐことにより、コストの低廉化及び作業の容易化を図りつつ、パチンコ球などが筐体内の紙幣識別機配置スペースに入り込むのを防止して故障の発生を未然に防止し得る遊技媒体貸出装置を提供せんとするものである。
【０００８】
【課題を解決するための手段】
上記の課題を解決するため、請求項１に係る発明は、遊技機に隣接して配置されるもので、筐体の正面に設けた紙幣挿入口から挿入された紙幣の真偽を識別する紙幣識別機を筐体内に装備する第１の使用形態と紙幣識別機を装備しない第２の使用形態とに選択的に使用される遊技媒体貸出装置において、上記第２の使用形態で筐体内の紙幣識別機配置スペースを筐体の側方より塞ぐカバー部材を備え、このカバー部材に、筐体の内側から上記紙幣挿入口を塞ぐ紙幣挿入口閉鎖部を一体に形成する構成とする。
【０００９】
この構成では、筐体内に紙幣識別機を装備しない第２の使用形態のとき、筐体内の紙幣識別機配置スペースの筐体側方はカバー部材により塞がれるため、島側に配置した遊技媒体補給装置などから飛び散ったパチンコ球などが筐体の側方から筐体内の紙幣識別機配置スペースに入り込むのを防止することができる。しかも、上記カバー部材に、筐体正面側の紙幣挿入口を筐体の内側から塞ぐ紙幣挿入口閉鎖部が一体に形成されているため、従来の如く紙幣挿入口を塞ぐための専用の部品を必要とせず、その分部品点数が少なく済み、また取付作業も容易なものになる。
【００１０】
請求項２に係る発明は、請求項１記載の遊技媒体貸出装置において、特に、上記紙幣識別機が、紙幣の真偽を識別した後真正な紙幣を筐体の背面に設けた開口部を通して紙幣搬送装置へ送出するものである場合の好ましい形態を提供するものである。すなわち、上記カバー部材を、後面で上記開口部を塞ぐように筐体内の紙幣識別機配置スペースの略全部を占める大きさに形成する構成とする。この構成では、筐体内に紙幣識別機を装備しない第２の使用形態のとき、筐体内の紙幣識別機配置スペースの略全部を占める大きさのカバー部材により筐体の側方及び筐体正面側の紙幣挿入口だけでなく筐体背面側の開口部も塞がれるため、部品点数や作業の手間を増やすことなく、この筐体背面側の開口部からパチンコ球などが筐体内の紙幣識別機配置スペースに入り込むのをも防止することができる。
【００１１】
請求項３に係る発明は、請求項１又は２記載の遊技媒体貸出装置において、上記筐体に、紙幣識別機をねじ止めするための複数のボス部を内側に突出させて設ける一方、上記カバー部材は、このボス部にねじ止めするねじ止め部を有する構成とする。この構成では、筐体に設けたボス部は、第１の使用形態のとき紙幣識別機のねじ止め個所として利用されるだけでなく、第２の使用形態のときカバー部材のねじ止め部をねじ止めする個所としても利用することができる。
【００１２】
請求項４に係る発明は、請求項３記載の遊技媒体貸出装置において、上記カバー部材に、カバー部材の取付時に上記筐体のボス部との干渉を回避するための切り欠き部を形成し、この切り欠き部の前端側を、切り欠き底側から切り欠き口側に向かって切り欠き幅が拡がるように斜めに切り欠く構成とする。この構成では、第２の使用形態でカバー部材のねじ止め部を筐体のボス部にねじ止めして取り付ける際には、筐体の側方からカバー部材を挿入しながら、カバー部材の紙幣挿入口閉鎖部を筐体の内側から筐体正面側の紙幣挿入口に挿入して塞ぐように前方に若干移動させるが、筐体のボス部との干渉を回避するためにカバー部材に形成した切り欠き部の前端側が、切り欠き底側から切り欠き口側に向かって切り欠き幅が拡がるように斜めに切り欠いてなるため、切り欠き部による筐体のボス部との干渉回避を確実に行うことができ、カバー部材の取付作業を円滑に行うことができる。
【００１３】
【発明の実施の形態】
以下、本発明の実施の形態を図面に基づいて説明する。
図１及び図２は本発明の一実施形態に係る遊技媒体貸出装置Ａを示し、この遊技媒体貸出装置Ａは、図３に示す如く遊技機としてのパチンコ機Ｂに隣接して配置され、このパチンコ機Ｂに対し貸出データを送信してパチンコ球の貸出処理を行わせるとともに、カード発行機能を有するものである。
【００１４】
すなわち、上記遊技媒体貸出装置Ａは、遊技島内でパチンコ機Ｂに隣接して固定されたフレーム枠１（図３参照）と、このフレーム枠１に対し前方より差し込んで脱着可能に装着される装置本体２とからなる。装置本体２は、筐体３内に紙幣識別機６を始め、硬貨選別機、カードユニット及び主制御基板（いずれも図示せず）などを装備してなり、この装置本体２の筐体３の正面側を構成する正面パネル３ａには紙幣挿入口１１、硬貨投入口１２、硬貨返却ボタン１３、硬貨返却口１４、封入式カード発行口１５及び会員カード挿入口１６などが設けられている。そして、紙幣挿入口１１に所定の紙幣（例えば千円札など）を挿入すると紙幣識別機６でその紙幣が真正であることを確認した後、会員カード挿入口１６に会員カードが挿入されていなければカードユニットがカード発行口１５にて封入式カードを発行するとともに、前方より向かって右隣りのパチンコ機Ｂに対し貸出データを送信してパチンコ球の貸出処理を行わせ、会員カード挿入口１６に会員カードが挿入されていれば会員カードに有価価値を加算するようになっている。また、硬貨投入口１２に所定の硬貨を投入したときにも硬貨選別機で投入硬貨の真正が確認されると右隣りのパチンコ機Ｂに対しパチンコ球の貸出処理を行わせる。
【００１５】
上記紙幣識別機６は、紙幣挿入口１１から挿入された紙幣の真偽を識別するとともに、この識別の後真正な紙幣を背面側の紙幣送出口６ａから遊技島側に配置した紙幣搬送装置（図示せず）へ送出するようになっている。この紙幣識別機６に対応して、装置本体２の筐体３にはその左側面から背面に亘り紙幣識別機６が露出するように開口部２１が設けられており、紙幣識別機６の内部及び紙幣送出口６ａ付近で紙幣詰まりが生じ装置本体２をフレーム枠１から前方に引き出したときこの開口部２１から紙幣詰まりを直し易いようになっている。また、フレーム枠１には装置本体２の装着状態で装置本体２側の紙幣識別機６の紙幣送出口６ａが貫通する開口部２２が設けられており、この開口部２２を通して紙幣識別機６から紙幣が遊技島側の紙幣搬送装置へ送出される。
【００１６】
上記遊技媒体貸出装置Ａは、上述の如く紙幣識別機６を筐体３内に装備する第１の使用形態の外に、紙幣識別機６を装備しない第２の使用形態でも選択的に使用されるものであり、この第２の使用形態では、従来、図３に示すように、筐体３内の紙幣識別機配置スペース２３は何もない状態にされ、かつ筐体３の側面開口部２４（つまり筐体３の開口部２１のうちのフレーム枠１より前側の部分）及びフレーム枠１の開口部２２を通して遊技島側に開放されている。尚、遊技媒体貸出装置Ａを全体として見た場合、フレーム枠１は装置本体２の筐体３とは別に貸出装置Ａの筐体の一部を構成するものであり、フレーム枠１の開口部２２は、本発明にいう筐体の背面に設けた開口部に相当する。
【００１７】
これに対し、本発明の特徴点として、上記遊技媒体貸出装置Ａは、第２の使用形態で図４ないし図８に示すように、筐体３内の紙幣識別機配置スペース２３を筐体３の開口部２１で塞ぐ合成樹脂製のカバー部材３０を装備している。このカバー部材３０は、図９ないし図１３にも示すように、筐体３内の紙幣識別機配置スペース２３の略全部を占める略矩形箱状のもので、その左側面部３０ａで筐体３の側面開口部２４を、後面部３０ｂでフレーム枠１の開口部２２をそれぞれ塞ぐようになっている。また、カバー部材３０の前面部３０ｃには筐体３の内側から正面パネル３ａの紙幣挿入口１１を塞ぐ紙幣挿入口閉鎖部３１が一体に形成されている。
【００１８】
さらに、上記カバー部材３０は、紙幣識別機６と同じボス部３２にねじ止めをして筐体３に取り付けられている。すなわち、筐体３には紙幣識別機配置スペース２３に紙幣識別機６をねじ止めするための複数のボス部３２，３２，…がそれぞれ内側に突出して設けられており、カバー部材３０は、この複数のボス部３２，３２，…のうち、４つのボス部に対し各々ねじ止めするねじ止め部３３を４個所に有している。また、カバー部材３０の上面部３０ｄ及び下面部３０ｅにはカバー部材３０の取付時に上記筐体３のボス部３２との干渉を回避するための３つの切り欠き部３４，３４，３４が形成され、この各切り欠き部３４の前端側は、切り欠き底側から切り欠き口側に向かって切り欠き幅が次第に拡がるように斜めに切り欠いてなる。
【００１９】
従って、上記遊技媒体貸出装置Ａにおいては、紙幣識別機６を筐体３内に装備しない第２の使用形態のときには、筐体３内の紙幣識別機配置スペース２３にその略全部を占めるカバー部材３０が紙幣識別機６の代わりに装備され、このカバー部材３０の左側面部３０ａにより筐体３の側面開口部２４が塞がれ、カバー部材３０の後面部３０ｂによりフレーム枠１の開口部２２が塞がれるため、遊技島側に配置したパチンコ球補給装置（図示せず）からパチンコ球が隣接するパチンコ機Ｂの球補給口４０に供給されるときなどに飛び散ったパチンコ球が筐体３の側面開口部２４又はフレーム枠１の開口部２２を通して筐体３内の紙幣識別機配置スペース２３に入り込むのを防止することができ、これに起因する故障の発生を未然に防止することができる。
【００２０】
しかも、上記カバー部材３０の前面部３０ａに、筐体３の正面パネル３ａの紙幣挿入口１１を筐体３の内側から塞ぐ紙幣挿入口閉鎖部３１が一体に形成されているため、従来の如く紙幣挿入口１１を塞ぐための専用の部品を必要とせず、その分部品点数を少なくしてコストの低廉化を図ることができるとともに、取付作業の容易化を図ることができる。
【００２１】
その上、上記カバー部材３０は、紙幣識別機６をねじ止めするために筐体１に設けた４つのボス部３２，３２，…に対しそれぞれねじ止め部３３をねじ止めすることで筐体１に取り付けられるため、遊技媒体貸出装置Ａにおける構造の簡略化などに寄与することができる。また、カバー部材３０の取付の際には、筐体３の開口部２１を通して側方からカバー部材３０を筐体３内の紙幣識別機配置スペース２３に挿入しながら、カバー部材３０の紙幣挿入口閉鎖部３１を筐体３の内側から筐体３の正面パネル３ａの紙幣挿入口１１に挿入して塞ぐように前方に若干移動させるが、筐体３側のボス部３２との干渉を回避するためにカバー部材３０に形成した各切り欠き部３４の前端側が、それぞれ切り欠き底側から切り欠き口側に向かって切り欠き幅が拡がるように斜めに切り欠いてなるため、各切り欠き部３４による筐体３側のボス部３２との干渉回避を確実に行うことができ、カバー部材３０の取付作業を円滑に行うことができる。
【００２２】
尚、本発明は上記実施形態に限定されるものではなく、その他種々の実施形態を包含するものである。例えば上記実施形態では、筐体３内に装備される紙幣識別機６として、紙幣の真偽を識別した後真正な紙幣を島側に配置した紙幣搬送装置へ送出するものについて述べたが、本発明は、これに限らず、紙幣をストックするストック部を有する形式のものでもよいのは勿論である。
【００２３】
また、上記実施形態では、遊技媒体貸出装置Ａとして、隣接するパチンコ機Ｂに対し貸出データを送信してパチンコ球の貸出処理を行われるとともにカード発行機能を有するものについて述べたが、本発明は、少なくとも紙幣識別機６を装備して使用する場合と装備しないで使用する場合とがあるものに広く適用することができる。
【００２４】
【発明の効果】
以上のように、本発明の遊技媒体貸出装置によれば、筐体内に紙幣識別機を装備しないときには、筐体内の紙幣識別機配置スペースの筐体側方がカバー部材により塞がれるため、島側に配置した遊技媒体補給装置などから飛び散ったパチンコ球などが筐体の側方から筐体内の紙幣識別機配置スペースに入り込むのを防止することができ、故障の発生を未然に防止することができる。しかも、カバー部材に、筐体正面側の紙幣挿入口を筐体の内側から塞ぐ紙幣挿入口閉鎖部が一体に形成されているため、従来の如く紙幣挿入口を塞ぐための専用の部品を必要とせず、部品点数を少なくしてコストの低廉化を図ることができるとともに、取付作業工程の容易化を図ることができる。
【００２５】
特に、請求項２に係る発明では、筐体内に紙幣識別機を装備しないときには、筐体内の紙幣識別機配置スペースの略全部を占める大きさのカバー部材により筐体背面側の紙幣送出用の開口部も塞がれるため、筐体内の紙幣識別機配置スペースへのパチンコ球などの入り込みを確実に防止することができ、故障対策をより有効に図ることができる。
【００２６】
また、請求項３に係る発明では、筐体のボス部を、紙幣識別機を装備するときの紙幣識別機のねじ止め個所として利用するだけでなく、紙幣識別機を装備しないときのカバー部材のねじ止め個所としても利用することができるので、構造の簡略化などに寄与することができるという効果をも奏する。
【００２７】
さらに、請求項４に係る発明では、筐体のボス部との干渉を回避するためにカバー部材に形成した切り欠き部の前端側が、切り欠き底側から切り欠き口側に向かって切り欠き幅が拡がるように斜めに切り欠いてなるため、切り欠き部による筐体のボス部との干渉回避を確実に行うことができ、カバー部材の取付を円滑に行うことができるという効果を併有する。
【図面の簡単な説明】
【図１】本発明の実施形態に係る遊技媒体貸出装置における第１の使用形態を示す正面図である。
【図２】同じく斜視図である。
【図３】上記遊技媒体貸出装置から紙幣識別機を取り外してパチンコ機に隣接して設置した状態を示す斜視図である。
【図４】上記遊技媒体貸出装置における第２の使用形態を示す正面図である。
【図５】同じく斜視図である。
【図６】第２の使用形態からカバー部材を分離した状態を示す斜視図である。
【図７】図４の紙幣挿入口付近の拡大図である。
【図８】図７のＸ−Ｘ線における断面図である。
【図９】カバー部材の正面図である。
【図１０】同左側面図である。
【図１１】同右側面図である。
【図１２】同平面図である。
【図１３】同底面図である。
【符号の説明】
Ａ    遊技媒体貸出装置
Ｂ    パチンコ機（遊技機）
１    フレーム枠（筐体）
３    筐体
３ａ  正面パネル
６    紙幣識別機
６ａ  紙幣送出口
１１    紙幣挿入口
２１，２２，２４    開口部
２３    紙幣識別機配置スペース
３０    カバー部材
３１    紙幣挿入口閉鎖部
３２    ボス部
３３    ねじ止め部
３４    切り欠き部
【図１】
2004358115.tif 000003
【図２】
2004358115.tif 000004
【図３】
2004358115.tif 000005
【図４】
2004358115.tif 000006
【図５】
2004358115.tif 000007
【図６】
2004358115.tif 000008
【図７】
2004358115.tif 000009
【図８】
2004358115.tif 000010
【図９】
2004358115.tif 000011
【図１０】
2004358115.tif 000012
【図１１】
2004358115.tif 000013
【図１２】
2004358115.tif 000014
【図１３】
2004358115.tif 000015